【手続補正書】
【提出日】平成15年11月4日(2003.11.4)
【手続補正１】
【補正対象書類名】明細書
【補正対象項目名】特許請求の範囲
【補正方法】変更
【補正の内容】
【特許請求の範囲】
【請求項１】
メニューを表示し、該メニューから展開される設定対象を設定する情報処理装置において、
前記メニューの構成を取得する取得手段と、
該取得したメニューの構成をブロック化したブロックメニューを表示するブロック表示手段と、
該表示されたブロックメニューに含まれるコントロールアイテムを指定する指定手段とを備えたことを特徴とする情報処理装置。
【請求項２】
前記指定されたコントロールアイテムを切り出して前記設定対象を表示する切出表示手段を備えたことを特徴とする請求項１記載の情報処理装置。
【請求項３】
前記ブロック表示手段は、前記指定されたコントロールアイテムの前記ブロックメニュー上の位置を明示することを特徴とする請求項２記載の情報処理装置。
【請求項４】
前記ブロック表示手段は、前記指定されたコントロールアイテムまでのリンクラインを明示することを特徴とする請求項２記載の情報処理装置。
【請求項５】
メニューを表示し、該メニューから展開される設定対象を設定するユーザインタフェース制御方法において、
前記メニューの構成を取得し、
該取得したメニューの構成をブロック化したブロックメニューを表示し、
該表示されたブロックメニューに含まれるコントロールアイテムを指定することを特徴とするユーザインタフェース制御方法。
【請求項６】
前記指定されたコントロールアイテムを切り出して前記設定対象を表示することを特徴とする請求項５記載のユーザインタフェース制御方法。
【請求項７】
前記指定されたコントロールアイテムの前記ブロックメニュー上の位置を明示することを特徴とする請求項６記載のユーザインタフェース制御方法。
【請求項８】
前記指定されたコントロールアイテムまでのリンクラインを明示することを特徴とする請求項６記載のユーザインタフェース制御方法。
【請求項９】
前記コントロールアイテムを切り出して表示する際、該表示されるコントロールアイテムの位置を変更することを特徴とする請求項６記載のユーザインタフェース制御方法。
【請求項１０】
前記ブロックメニューを表示すると共に、前記メニューをダイアログ形式で表示することを特徴とする請求項５に記載のユーザインタフェース制御方法。
【請求項１１】
メニューを表示し、該メニューから展開される設定対象を情報処理装置内のＣＰＵが設定するプログラムを格納した記憶媒体において、
前記プログラムは、
前記メニューの構成を取得する手順と、
該取得したメニューの構成をブロック化したブロックメニューを表示する手順と、
該表示されたブロックメニューに含まれるコントロールアイテムを指定する手順と、
前記指定されたコントロールアイテムを切り出して前記設定対象を表示する手順とを含むことを特徴とする記憶媒体。
【手続補正２】
【補正対象書類名】明細書
【補正対象項目名】００２１
【補正方法】削除
【補正の内容】
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
請求項５に記載のユーザインタフェース制御方法は、メニューを表示し、該メニューから展開される設定対象を設定するユーザインタフェース制御方法において、前記メニューの構成を取得し、該取得したメニューの構成をブロック化したブロックメニューを表示し、該表示されたブロックメニューに含まれるコントロールアイテムを指定することを特徴とする。


【手続補正５】
【補正対象書類名】明細書
【補正対象項目名】００２４
【補正方法】変更
【補正の内容】
【００２４】
請求項６に記載のユーザインタフェース制御方法は、請求項５に係るユーザインタフェース制御方法において前記指定されたコントロールアイテムを切り出して前記設定対象を表示することを特徴とする。


【手続補正６】
【補正対象書類名】明細書
【補正対象項目名】００２５
【補正方法】変更
【補正の内容】
【００２５】
請求項７に記載のユーザインタフェース制御方法は、請求項６に係るユーザインタフェース制御方法において前記指定されたコントロールアイテムの前記ブロックメニュー上の位置を明示することを特徴とする。


【手続補正７】
【補正対象書類名】明細書
【補正対象項目名】００２６
【補正方法】変更
【補正の内容】
【００２６】
請求項８に記載のユーザインタフェース制御方法は、請求項６に係るユーザインタフェース制御方法において前記指定されたコントロールアイテムまでのリンクラインを明示することを特徴とする。


【手続補正８】
【補正対象書類名】明細書
【補正対象項目名】００２７
【補正方法】変更
【補正の内容】
【００２７】
請求項９に記載のユーザインタフェース制御方法は、請求項６に係るユーザインタフェース制御方法において前記コントロールアイテムを切り出して表示する際、該表示されるコントロールアイテムの位置を変更することを特徴とする。


【手続補正９】
【補正対象書類名】明細書
【補正対象項目名】００２８
【補正方法】変更
【補正の内容】
【００２８】
請求項１０に記載のユーザインタフェース制御方法は、請求項５に係るユーザインタフェース制御方法において前記ブロックメニューを表示すると共に、前記メニューをダイアログ形式で表示することを特徴とする。


【手続補正１０】
【補正対象書類名】明細書
【補正対象項目名】００２９
【補正方法】変更
【補正の内容】
【００２９】
請求項１１に記載の記憶媒体は、メニューを表示し、該メニューから展開される設定対象を情報処理装置内のＣＰＵが設定するプログラムを格納した記憶媒体において、前記プログラムは、前記メニューの構成を取得する手順と、該取得したメニューの構成をブロック化したブロックメニューを表示する手順と、該表示されたブロックメニューに含まれるコントロールアイテムを指定する手順と、前記指定されたコントロールアイテムを切り出して前記設定対象を表示する手順とを含むことを特徴とする。


【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００８４
【補正方法】削除
【補正の内容】
【手続補正１４】
【補正対象書類名】明細書
【補正対象項目名】００８５
【補正方法】削除
【補正の内容】
【手続補正１５】
【補正対象書類名】明細書
【補正対象項目名】００８６
【補正方法】変更
【補正の内容】
【００８６】
請求項１１に記載の記憶媒体によれば、メニューを表示し、該メニューから展開される設定対象を情報処理装置内のＣＰＵが実行するプログラムを格納した記憶媒体において、前記プログラムは、前記メニューの構成を取得する手順と、該取得したメニューの構成をブロック化したブロックメニューを表示する手順と、該表示されたブロックメニューに含まれるコントロールアイテムを指定する手順と、前記指定されたコントロールアイテムを切り出して前記設定対象を表示する手順とを含むので、情報処理装置におけるユーザインタフェースの汎用性、拡張性を高めることができる。


【手続補正１６】
【補正対象書類名】明細書
【補正対象項目名】００８７
【補正方法】削除
【補正の内容】
【手続補正１７】
【補正対象書類名】明細書
【補正対象項目名】００８８
【補正方法】削除
【補正の内容】